(57)【要約】      （修正有）【課題】海外在住者に対する柔軟な受診フォローを実現することができる健診システムおよび選定プログラムを提供する。【解決手段】本健診システムは、データベースと、選定部とを備える。データベースは、少なくとも、医療機関における健康診断の実施スケジュールを含むスケジュール情報と、海外在住者が在住する在住国の休日および在住国の慣習を含む在住国事情情報とを記憶する。選定部は、健康診断の実施スケジュールと、在住国の休日および在住国の慣習とに基づいて、海外在住者に通知する健康診断の受診候補日を選定する。【選択図】図１
2018181136.tif 000002
【特許請求の範囲】
【請求項１】
少なくとも、医療機関における健康診断の実施スケジュールを含むスケジュール情報と、海外在住者が在住する在住国の休日および前記在住国の慣習を含む在住国事情情報とを記憶するデータベースと、
少なくとも、前記健康診断の実施スケジュールと、前記在住国の休日および前記在住国の慣習とに基づいて、前記海外在住者に通知する前記健康診断の受診候補日を選定する選定部と、
を具備する健診システム。
【請求項２】
前記データベースは、前記医療機関が所在する所在国の休日、前記所在国の慣習、前記所在国のイベントおよび前記所在国の観光シーズンのうちの少なくとも一つを含む所在国事情情報をさらに記憶し、
前記選定部は、前記健康診断の実施スケジュールと、前記在住国の休日および前記在住国の慣習と、前記所在国の休日、前記所在国の慣習、前記所在国のイベントおよび前記所在国の観光シーズンとに基づいて、前記受診候補日を選定する、
請求項１に記載の健診システム。
【請求項３】
前記データベースは、前記海外在住者を特定するための情報を含む個人特定情報をさらに記憶し、
前記個人特定情報は、前記海外在住者の前記所在国への渡航予定スケジュールと、前記海外在住者が所属する組織の休日および前記海外在住者が所属する組織の休暇期間を示す休日スケジュールとのうちの少なくとも一つを含み、
前記選定部は、前記健康診断の実施スケジュールと、前記在住国の休日および前記在住国の慣習のうちの少なくとも一つと、前記所在国の休日、前記所在国の慣習、前記所在国のイベントおよび前記所在国の観光シーズンのうちの少なくとも一つと、前記渡航予定スケジュールおよび休日スケジュールのうちの少なくとも一つとに基づいて、前記受診候補日を選定する、
請求項２に記載の健診システム。
【請求項４】
前記選定部は、ユーザにより予め設定された抽出対象期間の中から、前記受診候補日を選定する請求項１乃至３のいずれか一項に記載の健診システム。
【請求項５】
前記選定された受診候補日を前記海外在住者に通知する通知部をさらに具備する請求項１乃至４のいずれか一項に記載の健診システム。
【請求項６】
前記通知部は、前記選定された受診候補日を含む前記医療機関が所在する国への旅行計画を通知する請求項５に記載の健診システム。
【請求項７】
コンピュータに、
少なくとも、医療機関における健康診断の実施スケジュールを含むスケジュール情報と、海外在住者が在住する在住国の休日および前記在住国の慣習を含む在住国事情情報とに基づいて、前記海外在住者に通知する前記健康診断の受診候補日を選定する選定機能、
を実現させるための選定プログラム。
【発明の詳細な説明】
【技術分野】
【０００１】
本発明の実施形態は、健診システムおよび選定プログラムに関する。
【背景技術】
【０００２】
医療機関では、定期的に健康診断を受診することを推奨している。医療機関では、定期的な健康診断の受診を促進するため、受診フォローを実施している。受診フォローとは、所定の対象者に対して健康診断の受診を推奨する行為のことである。受診フォローの対象者は、例えば、健康診断を受診していない未受診者、過去の健康診断において疾病は発見していないが、軽度の異常所見がある受診者、過去の健康診断において疾病を発見しており、精密検査や治療を必要とする受診者である。医療機関では、上記受診フォローを目的として、受診候補日を記載した受診勧奨書（受診勧告書とも呼ばれる）を所定の対象者に送付している。
【０００３】
ところで、医療設備が整っている日本の医療機関での健康診断を希望する海外在住者が多くおり、近年、日本の医療機関での健康診断とツアー旅行とを組み合わせて訪日する海外在住者が増加している。しかし、海外在住者に対する包括的な受診フォローの手法は確立されていない。
【先行技術文献】
【特許文献】
【０００４】
【特許文献１】特開２０１１−２１０２１４号公報
【特許文献２】特開２０１１−１５９００３号公報
【発明の概要】
【発明が解決しようとする課題】
【０００５】
本実施形態の目的は、海外在住者に対する柔軟な受診フォローを実現することができる健診システムおよび選定プログラムを提供することにある。
【課題を解決するための手段】
【０００６】
実施形態に係る健診システムは、少なくとも、医療機関における健康診断の実施スケジュールを含むスケジュール情報と、海外在住者が在住する在住国の休日および前記在住国の慣習を含む在住国事情情報とを記憶するデータベースと、
少なくとも、前記健康診断の実施スケジュールと、前記在住国の休日および前記在住国の慣習とに基づいて、前記海外在住者に通知する前記健康診断の受診候補日を選定する選定部と、を具備する。
【図面の簡単な説明】
【０００７】
【図１】図１は、本実施形態に係る健診システムを示すブロック図である。
【図２】図２は、図１に示す医用情報管理装置を示すブロック図である。
【図３】図３は、図１に示すクライアント端末を示すブロック図である。
【図４】図４は、図２に示すデータベースに記憶される医療機関管理テーブルを示す図である。
【図５】図５は、図２に示すデータベースに記憶される渡航履歴管理テーブルを示す図である。
【図６】図６は、図２に示すデータベースに記憶される海外在住者予定管理テーブルを示す図である。
【図７】図７は、図２に示すデータベースに記憶される在住国事情テーブルを示す図である。
【図８】図８は、図２に示すデータベースに記憶される所在国事情テーブルを示す図である。
【図９】図９は、図１に示す医用情報管理装置において受診候補日を選定する流れを示すフローチャートである。
【図１０】図１０は、図１に示す医用情報管理装置において受診候補日を選定する流れを示すフローチャートである。
【図１１】図１１は、図２に示す演算回路において選定された受診候補日を対象者に通知する流れを示すフローチャートである。
【図１２】図１２は、対象者に送付される受診勧奨書の一例を示す図である。
【図１３】図１３は、図２に示すデータベースに記憶される受診勧奨書送付管理テーブルを示す図である。
【図１４】図１４は、図１２に示す受診勧奨書と共に作成される旅行計画表を示す図である。
【図１５】図１５は、図２に示す演算回路において、健診受診日を登録する流れを示すフローチャートである。
【図１６】図１６は、図２に示すデータベースに記憶される健診管理テーブルを示す図である。
【発明を実施するための形態】
【０００８】
以下、本実施形態に係る健診システムについて、図面を参照して説明する。
【０００９】
図１は、本実施形態に係る健診システム１を示すブロック図である。図１に示す健診システム１は、例えば、人間ドック、一般健康診断、特定健康診査および特定保健指導等を定期的に受診することを推奨している医療機関（健診実施機関とも呼ばれる）において、海外在住者を含む所定の対象者に受診フォローを実施するための構成を有する。海外在住者は、医療機関が所在する国の国籍を有する人であっても有しない人であってもよい。例えば、医療機関が所在する国が日本であれば、有する人は日本人、有しない人は日本人以外の外国人である。
【００１０】
図１に示す健診システム１は、医用情報管理装置１０と、クライアント端末３０Ａ，３０Ｂ，３０Ｃとを備える。医用情報管理装置１０と、クライアント端末３０Ａ，３０Ｂ，３０Ｃとは、ネットワークＮＷを介して相互に接続される。
【００１１】
医用情報管理装置１０は、上記受診フォローを含めた、人間ドック、一般健康診断、特定健康診査および特定保健指導等を管理するサーバである。実施形態において、医用情報管理装置１０は、例えば、健康診断を受診した健診受診者に関する情報等、健康診断に関する情報を管理する。クライアント端末３０Ａ，３０Ｂ，３０Ｃは、例えば、医用情報管理装置１０にアクセス可能なコンピュータである。クライアント端末３０Ａ，３０Ｂ，３０Ｃは、医用情報管理装置１０において管理される健康診断に関する情報を入出力する。クライアント端末３０Ａ，３０Ｂ，３０Ｃは、医療機関の検査室、事務室および待合室等に設けられる。なお、以降の実施形態では、説明の便宜上、特に区別しない限り、クライアント端末３０Ａ，３０Ｂ，３０Ｃを、単に端末３０と記載する。
【００１２】
（医用情報管理装置の説明）
ここで、上記健診システム１の各構成について、図面を参照して説明する。まず、実施形態に係る医用情報管理装置１０について、図２を参照して説明する。
【００１３】
図２は、図１に示す医用情報管理装置１０を示すブロック図である。図２に示すように、医用情報管理装置１０は、演算回路１１と、ディスプレイ１３と、入力回路１５と、記憶回路１７と、通信回路１９と、データベース２１とを有する。演算回路１１と、ディスプレイ１３と、入力回路１５と、記憶回路１７と、通信回路１９と、データベース２１とは、装置内に設けられたバスＢＵＳを介して相互に接続される。
【００１４】
演算回路１１は、ハードウェア資源として、ＣＰＵ（Central Processing Unit）、ＭＰＵ（Micro Processing Unit）、ＧＰＵ（Graphics Processing Unit）等のプロセッサとＲＯＭ（Read-Only Memory）、ＲＡＭ（Random Access Memory）等のメモリとを有する。演算回路１１は、各種プログラムの実行により画面表示機能１１１、受診候補選定機能１１３、受診勧奨管理機能１１５、健診管理機能１１７およびシステム制御機能１１９を実現する。
【００１５】
画面表示機能１１１において演算回路１１は、端末３０上で動作する健診管理用アプリケーションを起動し、端末３０のディスプレイ３３に当該アプリケーションの操作画面を表示する。受診候補選定機能１１３において演算回路１１は、少なくとも、医療機関における健康診断の実施スケジュール（健診スケジュール）を含むスケジュール情報と、海外在住者が在住する在住国の休日および慣習を含む在住国事情情報とに基づいて、受診候補日を選定する。受診勧奨管理機能１１５において演算回路１１は、海外在住者に対する受診勧奨書の送付を管理する。健診管理機能１１７において演算回路１１は、医療機関における健診スケジュールを管理する。
【００１６】
システム制御機能１１９において演算回路１１は、実施形態に係る医用情報管理装置１０の統括的に制御する。具体的には、演算回路１１は、記憶回路１７に記憶されている制御プログラムを読み出してメモリ上に展開し、展開された制御プログラムに従って医用情報管理装置１０の各部を制御する。
【００１７】
なお、上記画面表示機能１１１、受診候補選定機能１１３、受診勧奨管理機能１１５、健診管理機能１１７およびシステム制御機能１１９は、一つの基板の演算回路により実装されてもよいし、複数の基板の演算回路により分散して実装されてもよい。
【００１８】
ディスプレイ１３は、例えば、上記健康診断に関する種々のデータ等を表示する。具体的には、ディスプレイ１３は、表示インターフェース回路と表示機器とを有する。表示インターフェース回路は、表示対象を表すデータをビデオ信号に変換する。ビデオ信号は、表示機器に供給される。表示機器は、表示対象を表すビデオ信号を表示する。表示機器としては、例えば、ＣＲＴディスプレイ、液晶ディスプレイ、有機ＥＬディスプレイ、プラズマディスプレイまたは当技術分野で知られている他の任意のディスプレイが適宜利用可能である。
【００１９】
入力回路１５は、操作者からの各種指令を入力する。具体的には、入力回路１５は、入力機器と入力インターフェース回路とを有する。入力機器は、ユーザからの各種指令を受け付ける。入力機器としては、トラックボール、スクロールホイール、スイッチボタン、マウス、キーボード、操作面へ触れることで入力操作を行うタッチパッド、および表示画面とタッチパッドとが一体化されたタッチパネルディスプレイ等が利用可能である。入力インターフェース回路は、入力機器からの出力信号をバスＢＵＳを介して演算回路１１に供給する。なお、実施形態において、入力回路１５は、トラックボール、スクロールホイール、スイッチボタン、マウス、キーボード等の物理的な操作部品を備えるものだけに限られない。例えば、装置とは別体に設けられた外部の入力機器から入力操作に対応する電気信号を受け取り、この電気信号を演算回路１１へ出力する電気信号の処理回路も入力回路１５の例に含まれる。
【００２０】
記憶回路１７は、種々の情報を記憶するＨＤＤ（Hard Disk Drive）やＳＳＤ（Solid State Drive）、集積回路記憶装置等の記憶装置である。また、記憶回路１７は、ＨＤＤ等の磁気ディスク以外にも、光磁気ディスクと、ＣＤ（Compact Disc）、ＤＶＤ（Digital Versatile Disc）等の光ディスクとを利用してもよい。また、記憶回路１７の保存領域は、医用情報管理装置１０内にあってもよいし、ネットワークＮＷで接続された外部記憶装置内にあってもよい。例えば、記憶回路１７は、実施形態に係る制御プログラム等を記憶する。
【００２１】
通信回路１９は、有線あるいは無線にて外部装置と通信するための回路である。外部装置は、例えば、他のモダリティ、放射線部門情報管理システム（ＲＩＳ：Radiological Information System）、および病院情報システム（ＨＩＳ：Hospital Information System）等のシステムに含まれるサーバ、あるいは他のワークステーション等である。実施形態において、通信回路１９は、ネットワークＮＷを介してクライアント端末３０Ａ，３０Ｂ，３０Ｃと相互に接続する。
【００２２】
データベース２１は、比較的大容量のデータを記憶可能なＨＤＤ（Hard Disk Drive）およびＳＳＤ（Solid State Drive）等の非一時的な記憶媒体と、メモリ等の一時的な記憶媒体とを有する。本実施形態におけるデータベース２１は、例えば、一般的なデータベース管理システム（Database Management System：ＤＢＭＳ）を使用して管理される。具体的には、上記ＤＢＭＳとして、リレーショナル型のＤＢＭＳが使用される。データベース２１は、少なくとも医療機関における健康診断の実施スケジュール（健診スケジュール）を含むスケジュール情報と、海外在住者が在住する在住国の休日および在住国の慣習を含む在住国事情情報とを記憶する。データベース２１は、スケジュール情報および在住国事情情報の他に、受診フォローの対象となる海外在住者に通知する健康診断の受診候補日を選定するために必要な情報を記憶する。
【００２３】
（端末の説明）
次に、実施形態に係る端末３０について、図３を参照して説明する。
【００２４】
図３は、図１に示す端末３０を示すブロック図である。図３に示すように、端末３０は、演算回路３１と、ディスプレイ３３と、入力回路３５と、記憶回路３７と、通信回路３９とを有する。演算回路３１と、ディスプレイ３３と、入力回路３５と、記憶回路３７と、通信回路３９とは、装置内に設けられたバスＢＵＳを介して相互に接続される。
【００２５】
演算回路３１は、ハードウェア資源として、ＣＰＵ（Central Processing Unit）、ＭＰＵ（Micro Processing Unit）、ＧＰＵ（Graphics Processing Unit）等のプロセッサとＲＯＭ（Read-Only Memory）、ＲＡＭ（Random Access Memory）等のメモリとを有する。演算回路３１は、各種プログラムの実行により画面表示機能３１１およびシステム制御機能３１３を実現する。
【００２６】
画面表示機能３１１において演算回路３１は、医用情報管理装置１０により提供されるアプリケーションの操作画面をディスプレイ３３に表示する。アプリケーションの操作画面には、例えば、データベース２１に記憶される各情報が表示される。
【００２７】
システム制御機能３１３において演算回路３１は、実施形態に係る端末３０の統括的に制御する。具体的には、演算回路３１は、記憶回路３７に記憶されている制御プログラムを読み出してメモリ上に展開し、展開された制御プログラムに従って端末３０の各部を制御する。
【００２８】
なお、上記画面表示機能３１１およびシステム制御機能３１３は、一つの基板の演算回路により実装されてもよいし、複数の基板の演算回路により分散して実装されてもよい。
【００２９】
ディスプレイ３３は、種々のデータおよび上記医用画像等を表示する。具体的には、ディスプレイ３３は、表示インターフェース回路と表示機器とを有する。表示インターフェース回路は、表示対象を表すデータをビデオ信号に変換する。ビデオ信号は、表示機器に供給される。表示機器は、表示対象を表すビデオ信号を表示する。表示機器としては、例えば、ＣＲＴディスプレイ、液晶ディスプレイ、有機ＥＬディスプレイ、プラズマディスプレイまたは当技術分野で知られている他の任意のディスプレイが適宜利用可能である。
【００３０】
入力回路３５は、操作者からの各種指令を入力する。具体的には、入力回路３５は、入力機器と入力インターフェース回路とを有する。入力機器は、ユーザからの各種指令を受け付ける。入力機器としては、トラックボール、スクロールホイール、スイッチボタン、マウス、キーボード、操作面へ触れることで入力操作を行うタッチパッド、および表示画面とタッチパッドとが一体化されたタッチパネルディスプレイ等が利用可能である。入力インターフェース回路は、入力機器からの出力信号をバスＢＵＳを介して演算回路３１に供給する。なお、実施形態において、入力回路３５は、トラックボール、スクロールホイール、スイッチボタン、マウス、キーボード等の物理的な操作部品を備えるものだけに限られない。例えば、装置とは別体に設けられた外部の入力機器から入力操作に対応する電気信号を受け取り、この電気信号を演算回路３１へ出力する電気信号の処理回路も入力回路３５の例に含まれる。
【００３１】
記憶回路３７は、種々の情報を記憶するＨＤＤ（Hard Disk Drive）やＳＳＤ（Solid State Drive）、集積回路記憶装置等の記憶装置である。また、記憶回路３７は、ＨＤＤ等の磁気ディスク以外にも、光磁気ディスクと、ＣＤ（Compact Disc）、ＤＶＤ（Digital Versatile Disc）等の光ディスクとを利用してもよい。また、記憶回路３７の保存領域は、端末３０内にあってもよいし、ネットワークＮＷで接続された外部記憶装置内にあってもよい。例えば、記憶回路３７は、実施形態に係る制御プログラム等を記憶する。
【００３２】
通信回路３９は、有線あるいは無線にて外部装置と通信するための回路である。外部装置は、例えば、他のモダリティ、放射線部門情報管理システム（ＲＩＳ：Radiological Information System）、および病院情報システム（ＨＩＳ：Hospital Information System）等のシステムに含まれるサーバ、あるいは他のワークステーション等である。実施形態において、通信回路３９は、ネットワークＮＷを介して医用情報管理装置１０と相互に接続する。
【００３３】
（データベースに記憶されるテーブル）
ここで、実施形態に係る健診システム１において、受診フォローの対象となる海外在住者に通知する健康診断の受診候補日を選定するために必要な情報について、図４乃至図８を参照して説明する。
【００３４】
図４は、図２に示すデータベース２１に記憶される医療機関管理テーブルを示す図である。図４に示す医療機関管理テーブルは、医療機関に関する情報を管理するためのテーブルである。図４に示すように、医療機関管理テーブルには、例えば、医療機関の休診等の年間予定と、年間予定における健康診断の受入可能人数とが関連付けられており、各々管理番号が付されている。管理番号は、医療機関におけるイベントごとに付されている。医療機関管理テーブルは、例えば、ＨＩＳ等から取得される。なお、医療機関管理テーブルには、検査機器の空き状況、医師、検査技師、看護師および医療機関のスタッフの勤務状況等が関連付けられてもよい。
【００３５】
図５は、図２に示すデータベース２１に記憶される渡航履歴管理テーブルを示す図である。図５に示す渡航履歴管理テーブルは、海外在住者の過去の渡航に関する情報を管理するためのテーブルである。図５に示すように、渡航履歴管理テーブルには、例えば、ツアーで訪日した海外在住者、個人旅行で訪日した海外在住者および訪日中に突発的な疾病や怪我等により日本の医療機関を予定外受診した海外在住者の個人特定情報（氏名および住所）、渡航履歴情報、渡航当時の健康診断の受診の有無、受診者ＩＤ、当該健康診断の診断結果、再受診の有無等が関連付けられており、各々管理番号が付されている。管理番号は、海外在住者ごとに付されている。渡航履歴管理テーブルは、例えば、直接海外在住者から、またはＨＩＳおよび電子カルテ等の医療システム、ファシリテータ(国内ツアー会社、国内または海外現地のエージェント等)から取得する。
【００３６】
図６は、図２に示すデータベース２１に記憶される海外在住者予定管理テーブルを示す図である。図６に示す海外在住者予定管理テーブルは、海外在住者の今後の予定に関する情報を管理するためのテーブルである。図６に示すように、海外在住者予定管理テーブルには、例えば、上記図５に示した海外在住者が所属する組織の勤務形態（日勤および夜勤等）、当該組織における海外在住者の休日スケジュール、および海外在住者の渡航予定スケジュール等が関連付けられており、各々管理番号が付されている。管理番号は、医療機関におけるイベントごとに付されている。海外在住者予定管理テーブルは、例えば、直接海外在住者から、またはファシリテータから取得する。
【００３７】
ここで、データベース２１は、図５に示す渡航履歴管理テーブルと図６に示す海外在住者予定管理テーブルとを、一つのテーブルとして記憶してもよい。
【００３８】
図７は、図２に示すデータベース２１に記憶される在住国事情テーブルを示す図である。図７に示す在住国事情テーブルは、海外在住者が在住する在住国の事情を含む情報を管理するためのテーブルである。図７に示すように、在住国事情テーブルには、例えば、各在住国の名称、各在住国の休日および慣習の名称、休日および慣習の期間等が関連付けられ、各々管理番号が付されている。管理番号は、在住国における休日および慣習ごとに付されている。在住国の休日には、在住国の祝日、および在住国の連休が含まれる。具体的に、祝日とは、在住国において定められた休日（米国の独立記念日や中国の清明節等）のことである。連休とは、在住国における休暇期間（中国の春節等）である。また、慣習とは、在住国において行われる祭事等、社会一般に通ずるならわし（イスラム教におけるラマダン等）である。在住国事情テーブルは、例えば、直接海外在住者から、またはファシリテータから取得する。
【００３９】
図８は、図２に示すデータベース２１に記憶される所在国事情テーブルを示す図である。図８に示す所在国事情テーブルは、医療機関が所在する所在国の事情を含む情報を管理するためのテーブルである。図８に示すように、所在国事情テーブルには、例えば、医療機関が所在する所在国のイベント、当該イベントの開催時期等が関連付けられ、各々管理番号が付されている。管理番号は、所在国におけるイベントごとに付されている。所在国事情テーブルは、例えば、医療機関、またはファシリテータから取得する。なお、所在国事情管理テーブルには、所在国の休日、慣習、および観光シーズン等が関連付けられてもよい。所在国の休日には、所在国の祝日、および所在国の連休が含まれる。具体的に、祝日とは、所在国において定められた休日（日本の憲法記念日等）のことである。連休とは、所在国における休暇期間（日本ののゴールデンウィーク等）である。また、慣習とは、所在国において行われる祭事等、社会一般に通ずるならわし（日本におけるお盆等）である。また、観光シーズンとは、所在国の地域ごとに存在する観光の最盛時期（山間部における登山シーズンやスキーシーズン、海浜部における海水浴シーズン等）のことである。
【００４０】
（受診候補日の選定）
ここで、実施形態に係る健診システム１において、図４乃至図８に示す各テーブルを用いて受診候補日を選定する流れについて、図面を参照して説明する。
【００４１】
（実施例１）
まず、本実施形態に係る健診システム１は、海外在住者に対して受診フォローを実施している。実施例１では、上記海外在住者が在住する在住国の事情を考慮して、健康診断の受診候補日を選定する。
【００４２】
図９は、図１に示す医用情報管理装置１０において受診候補日を選定する流れを示すフローチャートである。図９に示すように、ステップＳａ１において、演算回路１１は、入力回路１５を介してユーザにより入力された期間指定操作に基づいて、抽出対象期間を設定する。例えば、入力回路１５を介したユーザによる期間指定操作により、抽出対象期間が「２０１７年４月〜５月」に設定される。
【００４３】
ステップＳａ２において、演算回路１１は、設定された抽出対象期間に重なる在住国の休日および慣習をデータベース２１から抽出する。演算回路１１は、ステップＳａ１において設定された抽出対象期間と、図７に示す在住国事情テーブルとに基づいて、抽出対象期間「２０１７年４月〜２０１７年５月」に重なる在住国のイベント「○○節（２０１７年４月２日（日曜日）〜２０１７年４月４日（火曜日）」を抽出する。
【００４４】
ステップＳａ３において、演算回路１１は、健康診断の実施スケジュール（健診スケジュール）と、在住国の休日および慣習とに基づいて、海外在住者に通知する健康診断の受診候補日を選定する。演算回路１１は、ステップＳａ２において抽出された休日および慣習の期間のうち、医療機関での受入可能日を受診候補日として選定する。受入可能日とは、受入可能人数が１以上の日である。
【００４５】
ここで、ステップＳａ２において、演算回路１１は、イベント「○○節（２０１７年４月２日（日曜日）〜２０１７年４月４日（火曜日）」を抽出している。また、図４に示す医療機関管理テーブルを参照すると、「月曜日〜金曜日」の健診受診者の受入可能人数は「２０人」であり、「日曜日」の健診受診者の受入可能人数は「０人」である。つまり、医療機関では、在住国のイベント「○○節（２０１７年４月２日（日曜日）〜２０１７年４月４日（火曜日）」の期間のうち、「２０１７年４月３日（月曜日）」および「２０１７年４月４日（火曜日）」に健康診断を受診する対象者を受け入れることができる。演算回路１１は、「２０１７年４月３日（月曜日）」および「２０１７年４月４日（火曜日）」を受診候補日として選定する。
【００４６】
これにより、実施例１において、演算回路１１は、海外在住者の在住国事情を考慮して、受診候補日を選定することができる。
【００４７】
（実施例２）
上記実施例１において、海外在住者の在住国事情を考慮して、受診候補日を選定している。一方、近年、日本の医療機関での健康診断とツアー旅行とを組み合わせて訪日する海外在住者が増加している。また、受診フォローは、所定の対象者に対して実施されている。例えば、受診フォローの対象者は、健康診断を受診していない未受診者、過去の健康診断において疾病は発見していないが、軽度の異常所見がある受診者、過去の健康診断において疾病を発見しており、精密検査や治療を必要とする受診者である。実施例２では、海外在住者が在住する在住国の事情と、医療機関が所在する所在国の事情と、過去の医療機関の受診履歴とを考慮して、受診候補日を選定する。
【００４８】
図１０は、図１に示す医用情報管理装置１０において受診候補日を選定する流れを示すフローチャートである。図１０に示すように、ステップＳｂ１において、演算回路１１は、入力回路１５を介してユーザにより入力された期間指定操作に基づいて、抽出対象期間を設定する。例えば、実施例１と同様に、入力回路１５を介したユーザによる期間指定操作により、抽出対象期間が「２０１７年４月〜５月」に設定される。
【００４９】
ステップＳｂ２において、演算回路１１は、設定された抽出対象期間に重なる所在国の休日、慣習、イベントおよび観光シーズンのうちの少なくとも一つをデータベース２１から抽出する。演算回路１１は、ステップＳｂ１における抽出結果および図８に示す所在国事情テーブルに基づいて、抽出対象期間「２０１７年４月〜５月」に重なる所在国のイベント「ＡＢＣ公園で花見（２０１７年４月１日（土曜日）〜２０１７年４月８日（土曜日））」を抽出する。
【００５０】
ステップＳｂ３において、演算回路１１は、抽出された所在国の休日、慣習、イベントおよび観光シーズンの少なくとも一つと、在住国の休日および慣習のうちの少なくとも一つと、渡航予定スケジュールおよび休日スケジュールのうちの少なくとも一つとが重なる海外在住者をデータベース２１から抽出する。演算回路１１は、ステップＳｂ２における抽出結果、図７に示す在住国事情テーブルおよび図６に示す海外在住者予定管理テーブルに基づいて、所在国のイベント「ＡＢＣ公園で花見（２０１７年４月１日（土曜日）〜２０１７年４月８日（土曜日））」の期間、および在住国のイベント「○○節（２０１７年４月２日（日曜日）〜２０１７年４月４日（火曜日）」の期間に休日スケジュール「２０１７年４月１日（土曜日）〜２０１７年４月１０日（月曜日）」が重なる海外在住者「あいう  えお」を抽出する。
【００５１】
ステップＳｂ４において、演算回路１１は、例えば、ステップＳｂ３において抽出された海外在住者のうち、過去に医療機関を受診しており、前回の受診から医療機関を受診していない海外在住者を、受診候補日を通知する対象者としてデータベース２１から抽出する。演算回路１１は、ステップＳｂ３における抽出結果および図５に示す渡航履歴管理テーブルに基づいて、過去に医療機関を受診しており、前回の受診から医療機関を受診していない海外在住者「あいう  えお」を対象者として抽出する。
【００５２】
ステップＳｂ５において、演算回路１１は、医療機関における健診スケジュールと、在住国の休日および慣習のうちの少なくとも一つと、所在国の休日、慣習、イベントおよび観光シーズンのうちの少なくとも一つと、抽出された対象者の渡航予定スケジュールおよび休日スケジュールのうちの少なくとも一つとに基づいて、上記対象者に通知する健康診断の受診候補日を選定する。演算回路１１は、ステップＳｂ３において抽出された休日スケジュールの期間のうち、医療機関での受入可能日を受診候補日として選定する。実施例１でも示すように、受入可能日とは、受入可能人数が１以上の日である。
【００５３】
ここで、ステップＳｂ２において、演算回路１１は、在住国のイベント「○○節（２０１７年４月２日（日曜日）〜２０１７年４月４日（火曜日）」を抽出している。また、ステップＳｂ３において、演算回路１１は、対象者の休日スケジュール「２０１７年４月１日（土曜日）〜２０１７年４月１０日（月曜日）」を抽出している。すなわち、対象者の休日スケジュールの期間と在住国のイベントの期間とが重なる期間「２０１７年４月２日（日曜日）〜２０１７年４月４日（火曜日）」は、対象者が休日となる可能性が高い。
【００５４】
また、図４に示す医療機関管理テーブルを参照すると、「月曜日〜金曜日」の健診受診者の受入可能人数は「２０人」、「日曜日」の健診受診者の受入可能人数は「０人」である。つまり、対象者は、「２０１７年４月３日（月曜日）および２０１７年４月４日（火曜日）」に健康診断を受診する対象者を受け入れることができる。一方、対象者は、「２０１７年４月２日（日曜日）」に健康診断を受診する対象者を受け入れることができない。演算回路１１は、期間「２０１７年４月２日（日曜日）〜２０１７年４月４日（火曜日）」から受入不可日を除いた、「２０１７年４月３日（月曜日）および２０１７年４月４日（火曜日）」を受診候補日として選定する。
【００５５】
これにより、実施例２において、演算回路１１は、在住国の休日および慣習と、所在国の休日、慣習、イベントおよび観光シーズンと、対象者の渡航予定スケジュールおよび休日スケジュールと、過去の医療機関の受診履歴と、健診スケジュールとを考慮して、受診候補日を選定することができる。
【００５６】
ここで、本実施形態において選定される受診候補日は、上記「２０１７年４月３日（月曜日）」および「２０１７年４月４日（火曜日）」のように日であっても、期間であってもよい。また、上記実施例１および実施例２に示す受診候補日の選定手法は、あくまで一例である。本実施形態では、少なくとも在住国事情と健診スケジュールとを考慮して、健康診断の受診候補日を選定すれば、どのような形態を有していてもよい。また、実施例２では、例えば、所定の期間と重なる日を受診候補日として選定している。しかし、本実施形態に係る健診システム１はこれに限定されない。本実施形態に係る健診システム１は、所定の期間と重ならない日を受診候補日として選定してもよい。例えば、演算回路１１は、抽出された在住国のイベントが「ラマダン」であった場合、「ラマダン」の開催時期を避けて受診候補日を選定してもよい。
【００５７】
（受診候補日の通知）
上記受診候補日の選定後、医療機関の医療従事者等により、受診勧奨書が作成される。受診勧奨書には、演算回路１１により選定された受診候補日が記載される。作成された受診勧奨書は、所定の期日までに対象者へ送付される。本項では、受診勧奨書を対象者へ送付する所定の期日の決定方法について、一例を挙げて記載する。
【００５８】
図１１は、図２に示す演算回路１１において選定された受診候補日を対象者に通知する流れを示すフローチャートである。
【００５９】
ステップＳｃ１において、演算回路１１は、選定された受診候補日を考慮して、作成された受診勧奨書の送付日を決定する。例えば、演算回路１１は、受診候補日から、パスポートの受領および渡航準備期間と、スケジュールの調整期間との分だけ遡った日を送付予定日として決定する。ここで、上記実施例２のように、受診候補日として「２０１７年４月３日（月曜日）および２０１７年４月４日（火曜日）」が選定されていると仮定する。さらに、パスポートの受領および渡航準備期間が２週間、スケジュールの調整期間が２ヶ月に設定されていると仮定する。演算回路１１は、受診候補日「２０１７年４月３日（月曜日）および２０１７年４月４日（火曜日）」から１ヶ月＋２週間遡った「２０１７年１月２０日（金曜日）または２０１７年１月２１日（土曜日）」を送付予定日として決定する。本実施形態において、演算回路１１は、日の遅い「２０１７年１月２１日（土曜日）」を送付予定日として決定する。
【００６０】
ステップＳｃ２において、演算回路１１は、作成された受診勧奨書を決定された送付予定日に送付する。図１２は、対象者に送付される受診勧奨書の一例を示す図である。図１３は、図２に示すデータベース２１に記憶される受診勧奨書送付管理テーブルを示す図である。演算回路１１は、決定された送付予定日「２０１７年１月２１日」に、図１２に示すような受診勧奨書を対象者「あいう  えお」へ送付する。また、演算回路１１は、対象者「あいう  えお」への受診勧奨書の送付を契機として、図１３に示す受診勧奨書送付管理テーブルのステータスを「送信済み」に更新する。
【００６１】
図１４は、図１２に示す受診勧奨書と共に作成される旅行計画表を示す図である。本実施形態では、上記過程を経て、在住国の休日および慣習と、所在国の休日、慣習、イベントおよび観光シーズンと、対象者の渡航予定スケジュールおよび休日スケジュールと、過去の医療機関の受診履歴とが演算回路１１により特定されている。このため、所在国において観光を楽しむための旅行計画表を作成し、対象者に送付してもよい。
【００６２】
まず、演算回路１１は、対象者の休日スケジュールおよび選定された受診候補日に基づいて、所在国のイベントに参加可能なイベント参加可能日を抽出する。例えば、演算回路１１は、対象者の休日スケジュールから選定された受診候補日を除いたイベント参加可能日を抽出する。演算回路１１は、対象者の休日スケジュール「２０１７年４月１日（土曜日）−２０１７年４月１０日（月曜日）」から選定された受診候補日「２０１７年４月３日（月曜日）および２０１７年４月４日（火曜日）」を除いて、イベント参加可能日「２０１７年４月１日（土曜日）−２０１７年４月２日（日曜日）」および「２０１７年４月５日（水曜日）−２０１７年４月１０日（月曜日）」を抽出する。
【００６３】
次に、演算回路１１は、抽出されたイベント参加可能日のうち、所在国のイベントに参加するイベント参加候補日を抽出する。例えば、演算回路１１は、抽出されたイベント参加可能日と重なる所在国のイベントの期間をイベント参加候補日として決定する。所在国のイベントは「２０１７年４月１日（土曜日）−２０１７年４月８日（土曜日）」に開催されるため、演算回路１１は、イベント参加可能日のうち、「２０１７年４月２日（日曜日）」および「２０１７年４月５日（水曜日）−２０１７年４月８日（土曜日）」をイベント参加候補日として抽出する。
【００６４】
演算回路１１は、抽出されたイベント参加候補日のうち、実際に所在国のイベントに参加するイベント参加日を決定する。例えば、演算回路１１は、抽出されたイベント参加候補日、入国予定日、および出国予定日等を考慮して、イベント参加日を決定する。ここで、所在国への入国予定日が「２０１７年４月１日（土曜日）または２０１７年４月２日（日曜日）」、所在国からの出国予定日が「２０１７年４月７日（金曜日）または２０１７年４月８日（土曜日）」であると仮定する。演算回路１１は、抽出されたイベント参加候補日から入国予定日および出国予定日を除いた「２０１７年４月５日（水曜日）および２０１７年４月６日（木曜日）」をイベント参加日として決定する。
【００６５】
上記過程を経て、図１４に示すように、２０１７年４月１日（土曜日）に入国、２０１７年４月３日（月曜日）に医療機関において健康診断を受診、２０１７年４月５日（水曜日）〜２０１７年４月６日（木曜日）にＡＢＣ公園にて花見や観光、２０１７年４月８日（土曜日）に出国する旅行計画表を作成する。
【００６６】
ここで、本実施形態における受診勧奨書は、レターやメール等の一般的に用いられる手段により送付してもよい。また、受診候補日は、対象者に対して一つ提示しても、図１２に示す受診勧奨書のように複数提示してもよい。また、上記パスポートの受領および渡航準備期間と、スケジュールの調整期間とは、対象者の要望等に応じて設定してもよい。
【００６７】
（健診受診日の確定）
図１５は、図２に示す演算回路１１において、健診受診日を登録する流れを示すフローチャートである。まず、対象者は、上記受診候補日の記載された受診勧奨書を受領後、医療機関へ健康診断を受診したい受診希望日を返信する。例えば、対象者は、「２０１７年４月３日（月曜日）および２０１７年４月４日（火曜日）」のうち、「２０１７年４月３日（月曜日）」を受診希望日として選択する。その後、対象者は、「２０１７年４月３日（月曜日）」を受診希望日として記載した通知を医療機関へ送付する。医療機関の医療従事者は、例えば、入力回路３５を介して上記受診希望日を入力する。入力された受診希望日は、通信回路３９を介して医用情報管理装置１０へ送信される。
【００６８】
ステップＳｄ１において、演算回路１１は、入力回路３５を介して入力された受診希望日を端末３０から受信する。ステップＳｄ２において、演算回路１１は、入力された受診希望日を健診受診日としてデータベース２１に記憶する。図１６は、図２に示すデータベース２１に記憶される健診管理テーブルを示す図である。図１６に示すように、対象者「あいう  えお」の健診受診日「２０１７年４月３日（月曜日）」が健診管理テーブルに記憶される。これにより、演算回路１１は、健診スケジュールを更新することができる。また、対象者は、更新された健診スケジュールに基づいて、医療機関において健康診断を受診することができる。
【００６９】
ここで、上記実施形態に係る健診システム１では、医療従事者により入力回路３５を介して受診希望日が入力されている。しかし、本実施形態に係る健診システム１はこれに限定されない。例えば、受診勧奨書を受領した対象者が健診システム１を管理する医用情報管理装置１０にアクセスして、健診希望日を直接入力してもよい。
【００７０】
（総括）  
上記の説明の通り、本実施形態に係る健診システムは、データベースと、選定部とを備える。データベースは、少なくとも、医療機関における健康診断の実施スケジュールを含むスケジュール情報と、海外在住者が在住する在住国の休日および在住国の慣習を含む在住国事情情報とを記憶する。選定部は、健康診断の実施スケジュールと、在住国の休日および在住国の慣習とに基づいて、海外在住者に通知する健康診断の受診候補日を選定する。
【００７１】
上記の構成により、本実施形態に係る健診システムは、海外在住者が在住する在住国の事情を考慮して、受診候補日を選定することができる。また、在住国の事情を考慮して受診候補日を選定することで、海外在住者が所在国の医療機関において健康診断を受診しやすくなる。これにより、海外在住者が定期的に受診できるため、受診数が増加し、医療機関の売上を上昇させることができる。
【００７２】
かくして、本実施形態に係る健診システムは、海外在住者に対する柔軟な受診フォローを実現することができる。また、海外在住者に対する柔軟な受診フォローにより、顧客満足度を上げることができる。
【００７３】
ここで、本実施形態に係る健診システム１は、クライアント−サーバ型のシステムアーキテクチャを想定して記載している。しかし、本実施形態に係る健診システム１はこれに限定されない。例えば、本実施形態に係る健診システム１は、ウェブ型のシステムアーキテクチャであってもよい。
【００７４】
また、上記実施形態において、健診システムを１つの医用情報管理装置で実現する例を示した。しかし、本実施形態に係る健診システム１は、これに限定されない。例えば、１つの医用情報管理装置で行っていた処理を複数の装置に分散して、本実施形態に係る健診システムを実現してもよい。
【００７５】
また、上記実施形態におけるネットワークは、ＬＡＮ（Local Area Network）であってもＷＡＮ（Wide Area Network）であってもよい。
【００７６】
また、演算回路１１は、実施例１および実施例２に加えて、対象者の趣向等に基づいて、受診候補日を選定してもよい。対象者の趣向とは、スポーツが好き、山が好き、海が好き等、対象者の趣味や好みに関することである。例えば、対象者がスキー好きで、受診候補日として夏の海水浴シーズンと重なる期間と冬のスキーシーズンと重なる期間とが抽出された場合、演算回路１１は、対象者の趣向に基づいて、冬のスキーシーズンと重なる期間を受診候補日として選定してもよい。
【００７７】
また、上記説明において用いた「所定のプロセッサ」という文言は、例えば、専用又は汎用のprocessor、circuit(circuitry)、processing circuit(circuitry)、operation circuit(circuitry)、arithmetic circuit(circuitry)、あるいは、特定用途向け集積回路（ＡＳＩＣ：Application Specific Integrated Circuit）、プログラマブル論理デバイス（例えば、単純プログラマブル論理デバイス（ＳＰＬＤ：Simple Programmable Logic Device）、複合プログラマブル論理デバイス（ＣＰＬＤ：Complex Programmable Logic Device）、及びフィールドプログラマブルゲートアレイ（ＦＰＧＡ：Field Programmable Gate Array）等を意味する。また、本実施形態の各構成要素（各処理部）は、単一のプロセッサに限らず、複数のプロセッサによって実現するようにしてもよい。さらに、複数の構成要素（複数の処理部）を、単一のプロセッサによって実現するようにしてもよい。
【００７８】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００７９】
１…健診システム、１０…医用情報管理装置、１１…演算回路、１３…ディスプレイ、１５…入力回路、１７…記憶回路、１９…通信回路、２１…データベース、３０Ａ，３０Ｂ，３０Ｃ…クライアント端末、３１…演算回路、３３…ディスプレイ、３５…入力回路、３７…記憶回路、３９…通信回路、１１１…画面表示機能、１１３…受診候補選定機能、１１５…受診勧奨管理機能、１１７…健診管理機能、１１９…システム制御機能、３１１…画面表示機能、３１３…システム制御機能、ＢＵＳ…バス、ＮＷ…ネットワーク。
【図１】
2018181136.tif 000003
【図２】
2018181136.tif 000004
【図３】
2018181136.tif 000005
【図４】
2018181136.tif 000006
【図５】
2018181136.tif 000007
【図６】
2018181136.tif 000008
【図７】
2018181136.tif 000009
【図８】
2018181136.tif 000010
【図９】
2018181136.tif 000011
【図１０】
2018181136.tif 000012
【図１１】
2018181136.tif 000013
【図１２】
2018181136.tif 000014
【図１３】
2018181136.tif 000015
【図１４】
2018181136.tif 000016
【図１５】
2018181136.tif 000017
【図１６】
2018181136.tif 000018